(57)【要約】      （修正有）【課題】物品中の空気の収縮に起因する箱潰れを抑制することができる箱用シートを提供する。【解決手段】箱用シートは、左右方向の一方側から他方側に連接され、組立時に四角筒状部を構成する第１側面パネル１、第２側面パネル２、第３側面パネル３及び第４側面パネル４と、上記第１側面パネル及び第３側面パネルの上縁から延出する一対の上側外フラップ５，６と、上記第２側面パネル及び第４側面パネルの上縁から延出する一対の上側内フラップ７，８とを備え、箱型に組み立て可能な箱用シートであって、上記一対の上側外フラップが、延出方向基端側端部に、幅方向全域に亘って略等間隔で配設され延出方向に延びる複数のスリット１４ａ，１４ｂと、幅方向に延び、上記複数のスリット間を接続する１又は複数の折り曲げ容易線１５ａ，１５ｂとを備える。【選択図】図１
0003209339.tif 000002
【実用新案登録請求の範囲】
【請求項１】
左右方向の一方側から他方側に連接され、組立時に四角筒状部を構成する第１側面パネル、第２側面パネル、第３側面パネル及び第４側面パネルと、
上記第１側面パネル及び第３側面パネルの上縁から延出する一対の上側外フラップと、
上記第２側面パネル及び第４側面パネルの上縁から延出する一対の上側内フラップと
を備え、箱型に組み立て可能な箱用シートであって、
上記一対の上側外フラップが、
延出方向基端側端部に、幅方向全域に亘って略等間隔で配設され延出方向に延びる複数のスリットと、
幅方向に延び、上記複数のスリット間を接続する１又は複数の折り曲げ容易線と
を備える箱用シート。
【請求項２】
複数の上記折り曲げ容易線を備え、
上記複数の折り曲げ容易線が、上記一対の上側外フラップの延出方向基端側に配される複数の第１折り曲げ容易線と、上記複数の第１折り曲げ容易線よりも延出方向先端側に配される複数の第２折り曲げ容易線とを含み、
上記第１折り曲げ容易線及び第２折り曲げ容易線が上記一対の上側外フラップの幅方向に交互に配設されている請求項１に記載の箱用シート。
【請求項３】
上記複数のスリットが、複数の第１スリットと、上記複数の第１スリットと交互に配設され、上記第１スリットよりも長さの大きい複数の第２スリットとを含み、
上記第１折り曲げ容易線及び第２折り曲げ容易線が隣接する第２スリット間に形成されている請求項２に記載の箱用シート。
【請求項４】
上記複数の第２折り曲げ容易線が上記第１スリットの先端部に接続されている請求項３に記載の箱用シート。
【請求項５】
上記一対の上側内フラップが、
延出方向基端側端部に、幅方向全域に亘って略等間隔で配設され延出方向に延びる複数のスリットと、
幅方向に延び、上記複数のスリット間を接続する１又は複数の折り曲げ容易線と
を備える請求項１から請求項４のいずれか１項に記載の箱用シート。
【考案の詳細な説明】
【技術分野】
【０００１】
本考案は、箱用シートに関する。
【背景技術】
【０００２】
包装箱用シートとして、左右方向に連接され、組立時に四角筒状部を構成する４つの側面パネルと、対向する一対の側面パネルの上縁から延出する一対の上側外フラップと、対向する他対の側面パネルの上縁から延出する一対の上側内フラップとを有する段ボールシートが用いられている（特開２００５−２３９１７４号公報参照）。この包装箱用シートを組み立ててなる包装箱は、物品の保管、運搬等に広く利用されている。この包装箱は、四角筒状部を形成した状態で一対の上側内フラップを内側に折り曲げ、さらに一対の上側外フラップを内側に折り曲げて先端同士を突き合わせることで蓋部が形成される。
【先行技術文献】
【特許文献】
【０００３】
【特許文献１】特開２００５−２３９１７４号公報
【考案の概要】
【考案が解決しようとする課題】
【０００４】
この包装箱は、袋詰めにされた麺製品等を保管するために用いられる場合がある。また、この包装箱は、これらの製品を収容したうえ、他の包装箱が積み上げられた状態で保管される場合がある。
【０００５】
しかしながら、上記製品は、包装箱に収容される際には袋詰め時の加熱により袋内の空気が膨張している。そのため、包装箱に上記製品を収容する場合、上記袋の膨張状態に対応できるだけのサイズの包装箱が用いられる。一方、上記袋内の空気は保管中に収縮していく。そのため、上記包装箱は、上記袋内の空気の収縮による体積の減少に起因して一対の上側外フラップが下方に沈み込んでくる。また、この包装箱にあっては、上記一対の上側外フラップが沈み込んだ状態では、側面パネルの上側の先端が一対の上側外フラップの上縁よりも高くなる。
【０００６】
そのため、この包装箱は、他の包装箱が段積みされている場合等にあっては、側面パネルの上縁に応力が集中し、箱潰れを生じるおそれがある。
【０００７】
本考案は、このような不都合に鑑みてなされたものであり、物品中の空気の収縮に起因する箱潰れを抑制することができる箱用シートを提供することを課題とする。
【課題を解決するための手段】
【０００８】
上記課題を解決するためになされた本考案に係る箱用シートは、左右方向の一方側から他方側に連接され、組立時に四角筒状部を構成する第１側面パネル、第２側面パネル、第３側面パネル及び第４側面パネルと、上記第１側面パネル及び第３側面パネルの上縁から延出する一対の上側外フラップと、上記第２側面パネル及び第４側面パネルの上縁から延出する一対の上側内フラップとを備え、箱型に組み立て可能な箱用シートであって、上記一対の上側外フラップが、延出方向基端側端部に、幅方向全域に亘って略等間隔で配設され延出方向に延びる複数のスリットと、幅方向に延び、上記複数のスリット間を接続する１又は複数の折り曲げ容易線とを備える。
【０００９】
当該箱用シートは、一対の上側外フラップが延出方向基端側端部に、幅方向全域に亘って略等間隔で配設され延出方向に延びる複数のスリットと、幅方向に延び、上記複数のスリット間を接続する１又は複数の折り曲げ容易線とを備えるので、包装箱に組み立てられた状態でこの基端側端部を上側に膨らませた状態で物品を収容することができる。そのため、当該箱用シートを組み立ててなる包装箱は、空気の膨張によって体積が増加した物品を収容する場合に、空気の収縮によって体積が減少した状態での物品のサイズに合わせて設計することができる。これにより、当該箱用シートを組み立ててなる包装箱は、空気の収縮によって物品の体積が減少した場合でも、一対の上側外フラップが第１側面パネル及び第３側面パネルの上縁よりも低い位置まで沈み込むことを抑制することができる。そのため、当該箱用シートは、組立状態で他の包装箱が積み重ねられた場合でも、第１側面パネル及び第３側面パネルの上縁に応力が集中することを抑制することができるので、物品中の空気の収縮に起因する箱潰れを抑制することができる。
【００１０】
複数の上記折り曲げ容易線を備え、上記複数の折り曲げ容易線が、上記一対の上側外フラップの延出方向基端側に配される複数の第１折り曲げ容易線と、上記複数の第１折り曲げ容易線よりも延出方向先端側に配される複数の第２折り曲げ容易線とを含み、上記第１折り曲げ容易線及び第２折り曲げ容易線が上記一対の上側外フラップの幅方向に交互に配設されているとよい。このように、上記第１折り曲げ容易線及び第２折り曲げ容易線が上記一対の上側外フラップの幅方向に交互に配設されていることによって、複数の第１折り曲げ容易線と複数の第２折り曲げ容易線とが物品の体積に応じて２段に折れ曲がるので、一対の上側外フラップの基端側端部の形状を空気が膨張した状態での物品のサイズに対応して変形させやすい。
【００１１】
上記複数のスリットが、複数の第１スリットと、上記複数の第１スリットと交互に配設され、上記第１スリットよりも長さの大きい複数の第２スリットとを含み、上記第１折り曲げ容易線及び第２折り曲げ容易線が隣接する第２スリット間に形成されているとよい。このように、上記第１折り曲げ容易線及び第２折り曲げ容易線が隣接する第２スリット間に形成されていることによって、複数の第１折り曲げ容易線及び複数の第２折り曲げ容易線の上記一対の上側外フラップの延出方向における間隔を比較的大きくすることが容易であり、これにより上記基端側端部を物品の体積の変化に対応して変形させやすい。
【００１２】
上記複数の第２折り曲げ容易線が上記第１スリットの先端部に接続されているとよい。このように、上記複数の第２折り曲げ容易線が上記第１スリットの先端部に接続されていることによって、一対の上側外フラップの基端側端部を物品の形状に馴染ませる効果と、物品の体積に応じて一対の上側外フラップの基端側端部を折り曲げる効果とを共に高めることができ、一対の上側外フラップの基端側端部の形状を空気の膨張時の物品のサイズに対応して的確に変形させやすい。
【００１３】
上記一対の上側内フラップが、延出方向基端側端部に、幅方向全域に亘って略等間隔で配設され延出方向に延びる複数のスリットと、幅方向に延び、上記複数のスリット間を接続する１又は複数の折り曲げ容易線とを備えるとよい。このように、上記一対の上側外フラップに加え、上記一対の上側内フラップが、延出方向基端側端部に、幅方向全域に亘って略等間隔で配設され延出方向に延びる複数のスリットと、幅方向に延び、上記複数のスリット間を接続する１又は複数の折り曲げ容易線とを備えることによって、物品中の空気の収縮に起因する箱潰れをより確実に抑制することができる。
【００１４】
なお、本考案において、「左右方向」とは、箱用シートを組み立ててなる包装箱の想定される一般的な使用態様における水平方向をいい、「上」及び「下」とは、想定される一般的な使用態様における上下を意味するが、上記包装箱の使用時の向きを制限することを企図するものではない。
【考案の効果】
【００１５】
以上説明したように、本考案に係る箱用シートは、物品中の空気の収縮に起因する箱潰れを抑制することができる。
【図面の簡単な説明】
【００１６】
【図１】本考案の一実施形態に係る箱用シートを示す模式的平面図である。
【図２】図１の箱用シートの模式的部分拡大図である。
【図３】図１の箱用シートを組み立ててなる包装箱の物品収容直後の状態を示す模式的斜視図である。
【図４】図３の包装箱における物品中の空気が収縮した状態を示す模式的部分拡大側面図である。
【図５】図３の包装箱の物品収容直後の状態を示す模式的部分拡大側面図である。
【考案を実施するための形態】
【００１７】
以下、適宜図面を参照しつつ、本考案の実施の形態を詳説する。
【００１８】
［第一実施形態］
＜箱用シート＞
図１の箱用シートは、１枚のシートからなる。当該箱用シートは、左右方向の一方側から他方側に連接され、組立時に四角筒状部を構成する第１側面パネル１、第２側面パネル２、第３側面パネル３及び第４側面パネル４と、第１側面パネル１及び第３側面パネル３の上縁から延出する一対の上側外フラップ５，６と、第２側面パネル２及び第４側面パネル４の上縁から延出する一対の上側内フラップ７，８とを備え、箱型に組み立て可能に構成されている。また、当該箱用シートは、第１側面パネル１及び第３側面パネル３の下縁から延出する一対の下側外フラップ９，１０と、第２側面パネル２及び第４側面パネル４の下縁から延出する一対の下側内フラップ１１，１２と、第１側面パネル１の第２側面パネル２との連接側と反対側の端縁に連接される糊代部１３とを備える。なお、図１において、太い実線は箱用シートを切断して形成されるエッジを示し、細い実線は箱用シートの表面に筋押しして形成される罫線を示す。
【００１９】
当該箱用シートに用いられるシートとしては、当該箱用シートを組み立ててなる包装箱の形状を維持できる程度の強度を有している限り特に限定されるものではなく、例えば段ボールシート、厚紙等の紙製シート、紙製シートと合成樹脂製シートとの積層シート等が挙げられる。中でも、加工性、衝撃吸収性、取扱性、リサイクル性、経済性等の点から紙製のシートが好ましく、段ボールシートが特に好ましい。当該箱用シートを形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２０】
（側面パネル）
第１側面パネル１乃至第４側面パネル４は各々略方形状に形成されている。第１側面パネル１及び第３側面パネル３は略同形状に形成されている。また、第２側面パネル２及び第４側面パネル４は略同形状に形成されている。また、第１側面パネル１及び第３側面パネル３の左右方向長さは第２側面パネル２及び第４側面パネル４の左右方向長さよりも大きい。
【００２１】
第１側面パネル１乃至第４側面パネル４は、まず第１側面パネル１を第２側面パネル２の内面に折り重ね、続いて第４側面パネル４を第３側面パネル３の内面に折り重ね、糊代部１３を第４側面パネル４の内面に貼着することで無端状に接続される。第１側面パネル１乃至第４側面パネル４は、無端状に接続された状態で、第１側面パネル１及び第３側面パネル３が対向し、かつ第２側面パネル２及び第４側面パネル４が対向するように広げられることで四角筒状部を形成する。
【００２２】
第１側面パネル１乃至第４側面パネル４の上下方向長さは、当該箱用シートを組み立ててなる包装箱に収容する物品のサイズによって適宜設定可能であるが、例えば５ｃｍ以上３０ｃｍ以下とすることができる。第１側面パネル１及び第３側面パネル３の左右方向長さとしては、当該箱用シートを組み立ててなる包装箱に収容する物品のサイズによって適宜設定可能であるが、例えば１５ｃｍ以上７０ｃｍ以下とすることができる。また、第２側面パネル２及び第４側面パネル４の左右方向長さとしては、当該箱用シートを組み立ててなる包装箱に収容する物品のサイズによって適宜設定可能であるが、例えば１０ｃｍ以上４０ｃｍ以下とすることができる。
【００２３】
（上側フラップ）
一対の上側外フラップ５，６及び一対の上側内フラップ７，８は、第１側面パネル１乃至第４側面パネル４によって四角筒状部が形成され、かつ一対の下側外フラップ９，１０及び一対の下側内フラップ１１，１２によって底部が形成された状態で、一対の上側内フラップ７，８が内側に折り曲げられ、さらに一対の上側外フラップ５，６が内側に折り曲げられて互いの先端同士が突き合わされることで、当該箱用シートを組み立ててなる包装箱の蓋部を形成する。なお、当該箱用シートを組み立ててなる包装箱は、一対の上側外フラップ５，６の突き合わせ部外面に封函テープが貼着されることで封函される。
【００２４】
一対の上側外フラップ５，６及び一対の上側内フラップ７，８は、各々略矩形状に形成されている。一対の上側外フラップ５，６は略同形状に形成されている。また、一対の上側内フラップ７，８は略同形状に形成されている。また、一対の上側外フラップ５，６及び一対の上側内フラップ７，８の延出方向長さは略等しい。一対の上側外フラップ５，６及び一対の上側内フラップ７，８の延出方向長さは、組立状態で一対の上側外フラップ５，６の先端同士が突き合わされるように第２側面パネル２及び第４側面パネル４の左右方向長さの略１／２とされている。
【００２５】
一対の上側外フラップ５，６は、図２に詳しく示すように、延出方向基端側端部に、幅方向全域に亘って略等間隔で配設され、延出方向に延びる複数のスリット１４ａ，１４ｂと、幅方向に延び、複数のスリット１４ａ，１４ｂ間を接続する複数の折り曲げ容易線１５ａ，１５ｂとを有する。複数の折り曲げ容易線１５ａ，１５ｂは、シートの内面（包装箱に組み立てられた状態で内側に配設される面）を筋押しして形成される罫線である。複数のスリット１４ａ，１４ｂは、一対の上側外フラップ５，６の幅方向の両端部間に亘って形成されている。
【００２６】
図３に示すように、当該箱用シートを組み立ててなる包装箱２１に袋詰めの麺製品等、空気の収縮によって徐々に体積が減少するような物品が収容された場合、この物品の収容直後では複数のスリット１４ａ，１４ｂ（詳細には、スリット１４ａ，１４ｂの幅方向に連続する部分）及び複数の折り曲げ容易線１５ａ，１５ｂが物品の外形に応じて折れ曲がり、複数のスリット１４ａ，１４ｂ及び複数の折り曲げ容易線１５ａ，１５ｂが形成される基端側領域Ｘが上側に膨れた状態で保持される。
【００２７】
一方、包装箱２１は、上記物品中の空気が収縮してこの物品の体積が減少するにつれ、複数のスリット１４ａ，１４ｂ及び複数の折り曲げ容易線１５ａ，１５ｂの折り曲がりが緩和されていく。そして、この物品の体積が一定以下になると、図４に示すように、複数のスリット１４ａ，１４ｂ及び複数の折り曲げ容易線１５ａ，１５ｂの折り曲がりが解消され一対の上側外フラップ５，６の膨れが解消される。
【００２８】
一対の上側外フラップ５，６の延出方向長さに対する基端側領域Ｘの延出方向長さ（第２スリット１４ｂの長さ）の比の下限としては、０．０５が好ましく、０．０９がより好ましい。一方、上記比の上限としては、０．２０が好ましく、０．１５がより好ましい。上記比が上記下限に満たないと、包装箱２１に空気の収縮によって徐々に体積が減少するような物品を収容した場合に、この物品の収容直後において基端側領域Ｘを物品の外形に対応させて膨れさせることができないおそれがある。逆に、上記比が上記上限を超えると、一対の上側外フラップ５，６の強度が不十分となるおそれがある。
【００２９】
隣接するスリット１４ａ，１４ｂの平均間隔の下限としては、１．０ｃｍが好ましく、１．５ｃｍがより好ましい。一方、上記平均間隔の上限としては、４．０ｃｍが好ましく、３．０ｃｍがより好ましい。上記平均間隔が上記下限に満たないと、複数のスリット１４ａ，１４ｂの個数が不要に多くなり、一対の上側外フラップ５，６の強度が不十分となるおそれがある。逆に、上記平均間隔が上記上限を超えると、一対の上側外フラップ５，６の基端側領域Ｘを幅方向において物品の外形に応じて馴染ませ難くなるおそれがある。
【００３０】
上記複数の折り曲げ容易線１５ａ，１５ｂは、一対の上側外フラップ５，６の延出方向基端側に配される複数の第１折り曲げ容易線１５ａと、複数の第１折り曲げ容易線１５ａよりも延出方向先端側に配される複数の第２折り曲げ容易線１５ｂとを含む。詳細には、複数の折り曲げ容易線１５ａ，１５ｂは、複数の第１折り曲げ容易線１５ａ及び複数の第２折り曲げ容易線１５ｂのみから構成されており、第１折り曲げ容易線１５ａ及び第２折り曲げ容易線１５ｂが一対の上側外フラップ５，６の幅方向に交互に配設されている。
【００３１】
複数のスリット１４ａ，１４ｂは、複数の第１スリット１４ａと、複数の第１スリット１４ａと交互に配設され、複数の第１スリット１４ａよりも長さの大きい複数の第２スリット１４ｂとを含む。詳細には、複数のスリット１４ａ，１４ｂは、複数の第１スリット１４ａ及び複数の第２スリット１４ｂのみから構成されている。また、第１折り曲げ線１５ａ及び第２折り曲げ線１５ｂは、隣接する第２スリット１４ｂ間に形成されている。つまり、第１折り曲げ容易線１５ａの端部及び第２折り曲げ容易線１５ｂの端部は第２スリット１４ｂに接続されている。さらに、複数の第２折り曲げ容易線１５ｂは第１スリット１４ａの先端部に接続されている。
【００３２】
当該箱用シートは、それぞれ複数の第１スリット１４ａ、第２スリット１４ｂ、第１折り曲げ容易線１５ａ及び第２折り曲げ容易線１５ｂを有することで、上記物品中の空気の収縮に起因する箱潰れを効果的に防止することができる。
【００３３】
具体的には、図５に示すように、包装箱２１は、複数の第１スリット１４ａ及び複数の第２スリット１４ｂを有するので、一対の上側外フラップ５，６の基端側領域Ｘが複数の第１スリット１４ａ及び複数の第２スリット１４ｂで物品の外形に対応して延出方向と垂直方向に折り曲げられる。また、包装箱２１は、複数の第１折り曲げ容易線１５ａ及び複数の第２折り曲げ容易線１５ｂを有するので、一対の上側外フラップ５，６の基端側領域Ｘが複数の第１折り曲げ容易線１５ａ及び複数の第２折り曲げ容易線１５ｂで物品の外形に対応して延出方向に２段に折り曲げられる。包装箱２１は、複数の第１スリット１４ａ、複数の第２スリット１４ｂ、複数の第１折り曲げ容易線１５ａ及び複数の第２折り曲げ容易線１５ｂの折れ曲がりが物品の体積に応じて適度に調節され、この物品の体積が一定以下になった場合に折れ曲がりが解消される。そのため、包装箱２１は、他の包装箱が積み上げられている場合であって、物品の体積が一定以下となった場合でも、一対の上側外フラップ５，６が第１側面パネル１及び第３側面パネル３の上縁よりも下側に沈み込み難いので、第１側面パネル１及び第３側面パネル３の上縁に応力が集中することを抑制することができ、その結果箱潰れを抑制することができる。
【００３４】
当該箱用シートは、第１折り曲げ容易線１５ａ及び第２折り曲げ容易線１５ｂが隣接する第２スリット１４ｂ間に形成されており、各第１折り曲げ容易線１５ａ及び各第２折り曲げ容易線１５ｂの両端がシートから切り離されているので、各第１折り曲げ容易線１５ａ及び各第２折り曲げ容易線１５ｂ毎に折り曲げることが容易である。また、当該箱用シートは、第１折り曲げ容易線１５ａ及び第２折り曲げ容易線１５ｂが隣接する第２スリット１４ｂ間に形成されているので、複数の第１折り曲げ容易線１５ａ及び複数の第２折り曲げ容易線１５ｂの一対の上側外フラップ５，６の延出方向における間隔を比較的大きくすることが容易であり、これにより基端側領域Ｘを物品の体積の変化に対応して変形させやすい。
【００３５】
さらに、当該箱用シートは、複数の第２折り曲げ容易線１５ｂが第１スリット１４ａの先端部に接続されているので、複数の第１スリット１４ａよりも長さの大きい複数の第２スリット１４ｂによって第１折り曲げ容易線１５ａ及び第２折り曲げ容易線１５ｂの折り曲げ効果を向上すると共に、複数の第１スリット１４ａが長くなり過ぎることで基端側領域Ｘの強度が不十分となることを抑制しつつ、一対の上側外フラップ５，６の延出方向における複数の第１折り曲げ容易線１５ａ及び複数の第２折り曲げ容易線１５ｂの間隔を比較的大きくすることができる。そのため、当該箱用シートは、一対の上側外フラップ５，６の基端側領域Ｘを物品の形状に馴染ませる効果と、物品の体積に応じて一対の上側外フラップ５，６の基端側領域Ｘを折り曲げる効果とを共に高めることができ、物品中の空気の収縮に起因する箱潰れ抑制効果をさらに向上することができる。
【００３６】
複数の第１スリット１４ａに対する複数の第２スリット１４ｂの長さの比の下限としては、１．２が好ましく、１．４がより好ましい。一方、上記比の上限としては、２．５が好ましく、２．０がより好ましい。上記比が上記下限に満たないと、一対の上側外フラップ５，６の幅方向に基端側領域Ｘを馴染ませる効果が十分に向上しないおそれがある。逆に、上記長さの比が上記上限を超えると、基端側領域Ｘの強度が不十分となるおそれがある。
【００３７】
一対の上側外フラップ５，６の延出方向長さに対するこの延出方向における複数の第１折り曲げ容易線１５ａ及び複数の第２折り曲げ容易線１５ｂの間隔の比の下限としては、０．０２が好ましく、０．０３がより好ましい。一方、上記比の上限としては、０．０５が好ましく、０．０４がより好ましい。上記比が上記下限に満たないと、基端側領域Ｘを十分に膨らまし難くなるおそれがある。逆に、上記比が上記上限を超えると、物品の体積に対応して基端側領域Ｘを変形し難くなるおそれがある。なお、上記延出方向における第１側面パネル１及び第３側面パネル３と複数の第１折り曲げ容易線１５ａとの間隔と、複数の第１折り曲げ容易線１５ａ及び複数の第２折り曲げ容易線１５ｂとの間隔とは等しいことが好ましい。
【００３８】
一対の上側内フラップ７，８は、延出方向基端側端部に、幅方向全域に亘って略等間隔で配設され、延出方向に延びる複数のスリット１６ａ，１６ｂと、幅方向に延び、複数のスリット１６ａ，１６ｂ間を接続する複数の折り曲げ容易線１７ａ、１７ｂとを備える。複数のスリット１６ａ，１６ｂは、一対の上側内フラップ７，８の幅方向の両端部に亘って形成されている。
【００３９】
複数の折り曲げ容易線１７ａ，１７ｂは、一対の上側内フラップ７，８の延出方向基端側に配される複数の第１折り曲げ容易線１７ａと、複数の第１折り曲げ容易線１７ａよりも延出方向先端側に配される複数の第２折り曲げ容易線１７ｂとを含む。詳細には、複数の折り曲げ容易線１７ａ，１７ｂは、複数の第１折り曲げ容易線１７ａ及び複数の第２折り曲げ容易線１７ｂのみから構成されており、第１折り曲げ容易線１７ａ及び第２折り曲げ容易線１７ｂが一対の上側内フラップ７，８の幅方向に交互に配設されている。
【００４０】
複数のスリット１６ａ，１６ｂは、複数の第１スリット１６ａと、複数の第１スリット１６ａと交互に配設され、複数の第１スリット１６ａよりも長さの大きい複数の第２スリット１６ｂとを含む。詳細には、複数のスリット１６ａ，１６ｂは、複数の第１スリット１６ａ及び複数の第２スリット１６ｂのみから構成されている。また、第１折り曲げ容易線１７ａ及び第２折り曲げ容易線１７ｂは、隣接する第２スリット１６ｂ間に形成されている。つまり、第１折り曲げ容易線１７ａの端部及び第２折り曲げ容易線１７ｂの端部は第２スリット１６ｂに接続されている。さらに、複数の第２折り曲げ容易線１７ｂは第１スリット１６ａの先端部に接続されている。
【００４１】
一対の上側内フラップ７，８の延出方向長さに対する基端側領域の延出方向長さの比、隣接するスリット１６ａ，１６ｂの平均間隔、複数の第１スリット１６ａに対する複数の第２スリット１６ｂの長さの比、一対の上側内フラップ７，８の延出方向長さに対するこの延出方向における複数の第１折り曲げ容易線１７ａ及び複数の第２折り曲げ容易線１７ｂの間隔としては、一対の上側外フラップ５，６に形成される複数のスリット１４ａ，１４ｂ及び複数の折り曲げ容易線１５ａ，１５ｂと同様とすることができる。
【００４２】
＜利点＞
当該箱用シートを組み立ててなる包装箱２１は、一対の上側外フラップ５，６の基端側領域Ｘを上側に膨らませた状態で物品を収容することができる。そのため、包装箱２１は、空気の膨張によって体積が増加した物品を収容する場合に、空気の収縮によって体積が減少した状態での物品のサイズに合わせて設計することができる。これにより、包装箱２１は、空気の収縮によって物品の体積が減少した場合でも、一対の上側外フラップ５，６が第１側面パネル１及び第３側面パネル３の上縁よりも低い位置まで沈み込むことを抑制することができる。そのため、当該箱用シートは、組立状態で他の包装箱が積み重ねられた場合でも、第１側面パネル１及び第３側面パネル３の上縁に応力が集中することを抑制することができるので、物品中の空気の収縮に起因する箱潰れを抑制することができる。
【００４３】
また、当該箱用シートは、一対の上側外フラップ５，６に加え、一対の上側内フラップ７，８が、延出方向基端側端部に、幅方向全域に亘って略等間隔で配設され延出方向に延びる複数のスリット１６ａ，１６ｂと、幅方向に延び、複数のスリット１６ａ，１６ｂ間を接続する複数の折り曲げ容易線１５ａ，１５ｂとを備えるので、物品中の空気の収縮に起因する箱潰れをより確実に抑制することができる。
【００４４】
［その他の実施形態］
なお、本考案に係る箱用シートは、上記態様の他、種々の変更、改良を施した態様で実施することができる。例えば当該箱用シートは、一対の上側外フラップ及び一対の上側内フラップが、複数の第１スリット及び複数の第２スリットを有する必要はなく、１種類のスリットのみを有していてもよく、３種類以上のスリットを有していてもよい。また、当該箱用シートは、一対の上側外フラップ及び一対の上側内フラップが、複数の第１折り曲げ容易線及び複数の第２折り曲げ容易線を有する必要はなく、１種類の折り曲げ容易線のみを有していてもよく、３種類以上の折り曲げ容易線を有していてもよい。さらに、当該箱用シートは、１又は複数の折り曲げ容易線が必ずしも一対の上側外フラップ及び一対の上側内フラップの幅方向の両端部に亘って形成されている必要はなく、例えば複数の折り曲げ容易線が幅方向に間隔を開けて形成されていてもよい。
【００４５】
当該箱用シートは、複数の第１スリット及び複数の第２スリットを有する場合であっても、第１スリットの先端部に第２折り曲げ容易線が接続されている必要はない。
【００４６】
上記一対の上側内フラップは、必ずしも上記複数のスリット及び１又は複数の折り曲げ容易線を有しなくてもよい。
【００４７】
上記第１側面パネル乃至第４側面パネルの下縁から延出する下側フラップの具体的構成は、組立状態で底部を形成可能である限り特に限定されるものではない。
【産業上の利用可能性】
【００４８】
以上のように、本考案の箱用シートは、物品中の空気の収縮に起因する箱潰れを抑制することができるので、袋詰めの麺製品等、空気の収縮によって徐々に体積が減少するような物品の保管用の箱用シートとして適している。
【符号の説明】
【００４９】
１  第１側面パネル
２  第２側面パネル
３  第３側面パネル
４  第４側面パネル
５，６  上側外フラップ
７，８  上側内フラップ
９，１０  下側外フラップ
１１，１２  下側内フラップ
１３  糊代部
１４ａ，１６ａ  第１スリット
１４ｂ，１６ｂ  第２スリット
１５ａ，１７ａ  第１折り曲げ容易線
１５ｂ，１７ｂ  第２折り曲げ容易線
２１  包装箱
Ｘ  基端側領域
【図１】
0003209339.tif 000003
【図２】
0003209339.tif 000004
【図３】
0003209339.tif 000005
【図４】
0003209339.tif 000006
【図５】
0003209339.tif 000007